(57)【要約】【課題】  施工性が良好であり、雨水に対する止水性も良好であって、意匠性に優れて外観の見栄えの良好な屋根機能パネル固定用ベース板の取付構造を提供する。【解決手段】  上端支持フレームと下端支持フレームとの間に屋根機能パネルを配設して、屋根機能パネルを固定するためのベース板を屋根の上に載設し、ベース板の上面に固定バーを載置して、固着具を用いて固定バーからベース板を固定する屋根機能パネル固定用ベース板の取付構造において、ベース板の下端支持フレームとベース板の下側に配設される他のベース板の上端支持フレームとの間に段差空間部を形成してなる。【選択図】図２
2005240293.tif 000002
【特許請求の範囲】
【請求項１】
上端支持フレームと下端支持フレームとの間に屋根機能パネルを配設して、前記上端支持フレームと前記下端支持フレームとを介して前記屋根機能パネルを固定するためのベース板を屋根の上に載設し、前記ベース板の上面に載置した固定バーにより前記ベース板を固定する屋根機能パネル固定用ベース板の取付構造において、
前記下端支持フレームは前記上端支持フレームよりも高背であって、前記ベース板の下端支持フレームと前記ベース板の軒側下部に配設される他のベース板の上端支持フレームとの間に段差空間部を形成してなることを特徴とする屋根機能パネル固定用ベース板の取付構造。
【請求項２】
前記段差空間部を目隠しカバーにて覆うことを特徴とする請求項１記載の屋根機能パネル固定用ベース板の取付構造。
【請求項３】
前記段差空間部に電気配線を配設してなることを特徴とする請求項１又は請求項２に記載の屋根機能パネル固定用ベース板の取付構造。
【請求項４】
前記電気配線は、前記屋根機能パネルの間を接続してなるものであることを特徴とする請求項３に記載の屋根機能パネル固定用ベース板の取付構造。
【請求項５】
前記屋根機能パネルの一端固定辺を回動軸として前記屋根機能パネルを回動することにより、前記屋根機能パネルを着脱自在に固定することのできるものであることを特徴とする請求項１乃至請求項４のいずれかに記載の屋根機能パネル固定用ベース板の取付構造。
【発明の詳細な説明】
【技術分野】
【０００１】
本発明は、太陽電池パネル、太陽熱集熱パネル、緑化パネル等の屋根機能パネルを固定するための屋根機能パネル固定用ベース板を屋根の上に取り付ける構造に関するものである。
【背景技術】
【０００２】
従来、太陽電池パネル、太陽熱集熱パネル、緑化パネル等の屋根機能パネルを屋根の上に固定するためには、両端に支持フレームを備えるベース板を用いて、ベース板の上面に固定バーを載置して、固定ビス等を用いて固定バーによりベース板を屋根上に固定した後に、支持フレームの間に屋根機能パネルを配設していた。
【０００３】
ところがこの固定方法では、平板状のベース板用いるため、隣り合うベース板の位置決めに手間がかかり、屋根面上の適切な位置にベース板を取り付けることが容易ではなく、施工性に問題があった。また、ベース板を取り付けるために穿設したビス孔から、雨水が屋根下地に浸入するおそれがあった。
【０００４】
これを改良したものが、特許文献１〜３に開示されている。一例として、特許文献１（特開２００３−２７５６６５号公報）に示されている屋根機能パネル固定用ベース板の取付構造を図８及び図９に基づいて説明する。この屋根機能パネル固定用のベース板１は、屋根瓦の上に載設されるものであり、各ベース板１は、図８に示すように、左右方向に山部４と谷部５とを交互に設けた波板状に形成されている。ベース板１の山部４上には屋根瓦に対して固定するための固定バー６が載置される。また、ベース板１の軒側の両端部には、支持フレーム２７がそれぞれ取り付けられている。この支持フレーム２７によって、図９に示すようにして、屋根機能パネル９の周縁が支持されるようになっている。そして、支持フレーム２７、２７の上部を覆うように中央カバー２８を載設する。これらの構造を用いれば、屋根機能パネル固定用ベース板を比較的容易に屋根の上に取り付けることができ、雨水に対する止水性も比較的良好となっている。
【０００５】
しかしながら、特許文献１〜３の取付け構造であっても、屋根機能パネル全体としては平面的となるために、外観の見栄えにまだ不満が残されていた。
【特許文献１】特開２００３−２７５６６５号公報
【特許文献２】特開２００２−３２２７６６号公報
【特許文献３】特開２０００−１０４３８５号公報
【発明の開示】
【発明が解決しようとする課題】
【０００６】
本発明は、上記背景技術に鑑みて発明されたものであり、施工性が良好であり、雨水に対する止水性も良好であって、意匠性に優れて外観の見栄えの良好な屋根機能パネル固定用ベース板の取付構造を提供することである。
【課題を解決するための手段】
【０００７】
上記課題を解決するために、本発明の屋根機能パネル固定用ベース板の取付構造は、上端支持フレームと下端支持フレームとの間に屋根機能パネルを配設して、前記上端支持フレームと前記下端支持フレームとを介して前記屋根機能パネルを固定するためのベース板を屋根の上に載設し、前記ベース板の上面に載置した固定バーにより前記ベース板を固定する屋根機能パネル固定用ベース板の取付構造において、前記下端支持フレームは前記上端支持フレームよりも高背であって、前記ベース板の下端支持フレームと前記ベース板の軒側下部に配設される他のベース板の上端支持フレームとの間に段差空間部を形成してなることを特徴としている。
【発明の効果】
【０００８】
本発明の屋根機能パネル固定用ベース板の取付構造は、ベース板の下端支持フレームとベース板の軒側下部に配設される他のベース板の上端支持フレームとの間に段差空間部を形成してなるので、施工性が良好であり、雨水に対する止水性も良好であるだけでなく、屋根機能パネル全体としては立体的となり、意匠性に優れて外観の見栄えが良好となる。
【発明を実施するための最良の形態】
【０００９】
（実施形態１）
本発明の実施形態１の屋根機能パネル固定用ベース板の取付構造を図１〜３に基づいて説明する。本実施形態の屋根機能パネル固定用のベース板１は、屋根瓦２の上に軒棟方向Ａ及びこれと直交する左右方向Ｂに並べて載設されるものであり、各ベース板１は金属板を加工したものであり、図１に示すように、左右方向Ｂに山部４と谷部５とが交互に波板状に形成されている。ここで、軒棟方向Ａに隣り合うベース板１間は、ベース板１の端部の上下の重ね合わせにより止水されている。また、左右に隣り合うベース板１間は、一方のベース板１の側端部の山部４と他方のベース板１の側端部の谷部５とを嵌合させることで止水されている。またベース板１を波板状に形成することで、左右方向Ｂへの位置決めが容易になると共に、軒側Ａ１への排水も容易になり、さらに、ベース板１の板厚を厚くすることなく剛性を上げることができ、コストを削減しながら必要な強度が得られると共に、ベース板１の重量を軽減できて施工性が向上するという利点を有する。また、ベース板１の棟側Ａ２の端部は左右方向Ｂの略全長に亘って平板状に形成されており、これにより軒側Ａ１のベース板１の端部の下面から雨水が逆流しても、平板状の棟側Ａ１のベース板１の端部において水が阻止され、それ以上の逆流を防いで、ベース板１とこれよりも棟側Ａ１に位置する屋根瓦２との隙間に雨水が浸入するのを防止できる構造となっている。
【００１０】
このベース板１の山部４上には屋根瓦２に対して固定するための固定バー６が載置される。固定バー６は、ベース板１における軒棟方向Ａの中間位置よりも軒側Ａ１に寄せて取り付けられている。これは、軒棟方向Ａに２枚のベース板１が並べて載設される場合にあっては、軒側Ａ１のベース板１の棟側端部を棟側Ａ２のベース板１の軒側端部によって上から押さえて固定できるので、軒側Ａ１のベース板１の軒側Ａ１に寄った位置に固定バー６を取り付けることにより、屋根瓦２に対するベース板１全体の固定力を高めることができる構造とするためである。
【００１１】
ベース板１の軒側Ａ１の端部には、金属製の下端支持フレーム７が、棟側Ａ２の端部には、金属製の上端支持フレーム８がそれぞれ取り付けられている。この下端支持フレーム７及び上端支持フレーム８によって屋根機能パネル９の周縁が支持されるようになっている。本実施形態では、それぞれがベース板１の左右方向Ｂに間隔をあけて複数本（ここでは３本）取り付けられている。下端支持フレーム７及び上端支持フレーム８の長さは、軒側Ａ１のベース板１に対して棟側Ａ２のベース板１を左右方向Ｂにずらせて配置する場合においても、少なくとも１箇所の下端支持フレーム７と上端支持フレーム８とが必ず向かい合うような長手形状をしている。ここで、屋根機能パネル９としては、太陽電池パネル、太陽熱集熱パネル、緑化パネル等があげられる。
【００１２】
ここで、下端支持フレーム７は、上端支持フレーム８よりも高背の構造をしていて、この結果として、下端支持フレーム７に支持される屋根機能パネル９の下端固定辺が、隣接する上端支持フレーム８に支持される屋根機能パネル９の上端固定辺よりも高い位置に配設されている。また、下端支持フレーム７の本体部分は、隣接する上端支持フレーム８の本体部分とは当接することはなく、それぞれの突起部７ａ、８ａのみが当接することにより、位置決めができるようになっている。この結果として、下端支持フレーム７の本体部分は、隣接する上端支持フレーム８の本体部分との間に段差空間部１１が形成されている。そして、段差空間部１１の全面を覆うように、下端支持フレーム７の上面部にネジ１９で目隠しカバー１０が取り付けられる。この目隠しカバー１０の外観面には、瓦又は段葺き様の外観が構成されている。この目隠しカバー１０を取り付けることにより、外部から段差空間部１１が見えなくなるとともに、この空間に雨水等が浸入しないようになる。
【００１３】
以下に、屋根瓦２の上に屋根機能パネル９を葺設する手順について説明する。先ず、複数のベース板１を屋根瓦２上に並べて載設する。このとき、最も軒側Ａ１のベース板１を屋根瓦２の軒先側の端部に合わせて載置し、このベース板１の棟側端部の上面にこれと隣り合う棟側Ａ２のベース板１の軒側端部を上から重ねるようにして設置する。このとき、軒側Ａ１のベース板１の棟側端部に取り付けた下端支持フレーム７を棟側Ａ２のベース板１の軒側端部に取り付けた上端支持フレーム８に向かい合うように配置することにより、軒棟方向Ａに隣り合うベース板１同士を位置決めができる。またこのとき、長手形状の下端支持フレーム７と上端支持フレーム８とがベース板１の左右方向Ｂに間隔をあけてそれぞれ３本取り付けられているため、軒側Ａ１のベース板１に対して棟側Ａ２のベース板１を左右方向Ｂにずらせて配置する場合でも、下端支持フレーム７と上端支持フレーム８とが必ず向かい合うような配置となる。
【００１４】
次に、図３に示すように、固定バー６の長手方向をベース板１の左右方向Ｂに向け且つ固定バー６をベース板１の複数の山部４に跨いだ状態で、ベース板１の上面の所定位置に合わせて固定バー６を載置する。このとき固定バー６の裏面（接着面）の離型紙を剥がして、ベース板１の所定位置に仮接着する。まず、ドリル等によって固定バー６の底板部からベース板１、屋根瓦２までビス孔をあけ、このビス孔にコーキング剤１４を流し込むことにより、屋根瓦２の上下両側の空間部にそれぞれコーキング剤１４を充填し、固定ビス１３を屋根下地３まで打入することで、ベース板１を固定する。
【００１５】
次に、屋根機能パネル９を取り付ける手順について説明する。まず、屋根機能パネル９の上端固定辺と下端固定辺とに、それぞれクリップ金具１５、１６を嵌入させる。この状態で、クリップ金具１５を下端支持フレーム７の上部に設けられている挿入凹所１７に挿入した後に、クリップ金具１６を上端支持フレーム８の上面部１８に載設する。こうすることにより、屋根機能パネル９を下端支持フレーム７と上端支持フレーム８に対して固定する。ここで、屋根機能パネル９が太陽電池パネルである場合には、屋根機能パネル９の間を電気的に接続して、さらに屋内に給電するための電気配線１２を段差空間部１１の内部に配設する。また、電気配線１２は、適当な固定金具（図示せず）を用いて、段差空間部１１の内部に浮かせた構造にしておく。そして、段差空間部１１を覆うように目隠しカバー１０を下端支持フレーム７上端部に取り付けて、ネジ１９で固定することにより、段差空間部１１が外部から見えにくくする。
【００１６】
本実施形態の屋根機能パネル固定用ベース板の取付構造は、ベース板の下端支持フレームとベース板の下側に配設される他のベース板の上端支持フレームとの間に段差空間部を形成してなるので、屋根機能パネル全体としては立体的となり、意匠性に優れて外観の見栄えが良好となる。そして、段差空間部に目隠しカバーを設けてなるので、外部から段差空間部が見えなくなり外観を損なうことがなくなる。また、目隠しカバーを瓦又は段葺き様の外観を構成できる構造とすることにより、この部分についても、意匠性に優れて外観の見栄えが良好となる。
【００１７】
さらに、段差空間部に電気配線を配設できるので、屋根機能パネルが太陽電池パネルのような電気機器である場合には、屋根機能パネルの間を電気的に接続する電気配線の施工工事が容易となるとともに、電気配線を見栄えよく収納することができる。さらに、従来のように、ベース板に沿って這わす構造ではなく、段差空間内部に浮かせた構造となっているので、水分や腐食物から電気配線を保護することできる。加えて、施工後に、電気的な不具合が生じたような時にも、目隠しカバーを外すだけで、容易に検査することが可能であり、電気配線の取替え工事も容易となる。
【００１８】
（実施形態２）
本発明の実施形態２の屋根機能パネル固定用ベース板の取付構造を図４、５に基づいて説明する。本実施形態の屋根機能パネル固定用ベース板の取付構造は、実施形態１と略同じであるが、屋根機能パネル９をクリップ金具１６を介して上端支持フレーム８に取り付ける構造が異なっている。この上端支持フレーム８の上部には、図４に示すように、円筒状であって上部に切り込みのある回動係止部２０が形成されている。一方、クリップ金具１６で、上端支持フレーム８と係合する端部には、円柱片２１が形成されていて、この両端には回動係止部２０に挿入する板片２２、２２が形成されている。また、屋根機能パネルが太陽電池パネルである場合には、電気配線が前記屋根機能パネルの間を接続してなるものであるので、屋根上での電気配線工事が容易になる。
【００１９】
屋根機能パネル９を固定するには、まず、屋根機能パネル９の両端固定辺にクリップ金具１５、１６を嵌入させる。ここで、クリップ金具１５は実施形態１のものと同じ構成である。そして、図５（ａ）に示すように、上端固定辺にクリップ金具１６の板片２２、２２を回動係止部２０の切り込み部分に挿入した後、図５（ｂ）に示すように、屋根機能パネル９をＣの方向に回動させる。次に、屋根機能パネル９で反対側に嵌入しているクリップ金具１６を図２と同様に、下端支持フレーム７の挿入凹所１７に挿入させる（図示せず）。この後は、実施形態１と同様にして、目隠しカバー１０をネジ１９で固定する。
【００２０】
本実施形態の屋根機能パネル固定用ベース板の取付構造は、屋根機能パネルの上端固定辺を回動軸として屋根機能パネルを回動することにより、屋根機能パネルを着脱自在に固定することのできるものであるので、屋根機能パネルの位置決めが容易となり、屋根機能パネルの取付のやり直しや補修時の取り外しの作業も容易となる。この結果として、作業性が向上する。
【００２１】
（実施形態３）
本発明の実施形態３の屋根機能パネル固定用ベース板の取付構造を図６、７に基づいて説明する。本実施形態の屋根機能パネル固定用ベース板の取付構造は、実施形態２と略同じであるが、屋根機能パネル９をクリップ金具１５を介して下端支持フレーム７に取り付けるという構造が異なっている。この下端支持フレーム７の上部には、図６に示すように、下端支持フレーム本体に対して回動可能な円柱片２３がヒンジ状に取り付けられて、この円柱片２３の両端には、板片２４、２４が形成されている。また、円柱片２３には、ネジ孔が穿設されていて、これにネジ２５を螺嵌することにより、円柱片２３が下端支持フレーム本体に対して固定される構造になっている。一方、クリップ金具１５で、下端支持フレーム７と係合する端部には、円筒状で切り込み部分を有する回動係止部２６、２６が形成されていている。
【００２２】
屋根機能パネル９を固定するには、まず、屋根機能パネル９の両端固定辺にクリップ金具１５、１６を嵌入させる。ここで、クリップ金具１６は実施形態１のものと同じ構成である。そして、図７（ａ）、（ｂ）に示すように、両端にクリップ金具１６の回動係止部２６、２６の切り込み部分を板片２４、２４に挿入した後、図７（ｃ）に示すように、円柱片２３を回動させて、回動係止部２６、２６と板片２４、２４との係合が外れないようにする。この後に、ネジを螺嵌して円柱片２３を下端支持フレーム本体に対して固定する。次に、屋根機能パネル９で反対側に嵌入しているクリップ金具１５（図示せず）を図２と同様に、上端支持フレームの上部に載設させる。この後は、実施形態１と同様にして、目隠しカバー１０をネジ１９で取り付ける。
【００２３】
本実施形態の屋根機能パネル固定用ベース板の取付構造は、屋根機能パネルの下端固定辺を回動軸として屋根機能パネルを回動することにより、屋根機能パネルを着脱自在に固定することのできるものであるので、実施形態２と同様に、屋根機能パネルの位置決めが容易となり、屋根機能パネルの取付のやり直しや補修時の取り外しの作業も容易となる。この結果として、作業性が向上する。
【図面の簡単な説明】
【００２４】
【図１】本発明の実施形態１屋根機能パネルをベース板に取り付けた状態の一部破断斜視図である。
【図２】同上の目隠しカバー付近の側断面図である。
【図３】同上のベース板に固定バーを取り付けた状態の側断面図である。
【図４】本発明の実施形態２のクリップ金具と上端支持フレームとの斜視図である。
【図５】同上のクリップ金具と上端支持フレームとの係合状態を示す側断面図である。
【図６】本発明の実施形態３のクリップ金具と下端支持フレームとの斜視図である。
【図７】同上のクリップ金具と下端支持フレームとの係合状態を示す側断面図である。
【図８】従来例の屋根機能パネルをベース板に取り付けた状態の一部破断斜視図である。
【図９】同上のカバー付近の側断面図である。
【符号の説明】
【００２５】
１          ベース板
２          屋根瓦
３          屋根下地
４          山部
５          谷部
６          固定バー
７          下端支持フレーム
８          上端支持フレーム
７ａ、８ａ  突起部
９          屋根機能パネル
１０        目隠しカバー
１１        段差空間部
１２        電気配線
１３        固定ビス
１４        コーキング
１５、１６  クリップ金具
１７        挿入凹所
１８        上面部
１９、２５  ネジ
２０、２６  回動係止部
２１、２３  円柱片
２２、２４  板片
２７        支持フレーム
２８        中央カバー
Ａ          軒棟方向
Ａ１        軒側
Ａ２        棟側
Ｂ          左右方向
Ｃ          回動方向
【図１】
2005240293.tif 000003
【図２】
2005240293.tif 000004
【図３】
2005240293.tif 000005
【図４】
2005240293.tif 000006
【図５】
2005240293.tif 000007
【図６】
2005240293.tif 000008
【図７】
2005240293.tif 000009
【図８】
2005240293.tif 000010
【図９】
2005240293.tif 000011